(57)【要約】【課題】特定のペットだけについて出入口を開閉することができ、飼っている複数のペットの各々が屋内外のいずれにいるのかという出入の現状と経過を知ることができるペット出入口管理システムを提供する。【解決手段】ペットの体につけたＩＣタグからＩＤデータを読取るリーダをペット用出入口の入口側と出口側に設け、リーダが読取ったＩＤデータに基づいてペット用出入口の開口を可とするか否かを判定し、判定が可のときにはペット用出入口の施錠状態を非施錠とし、入口側と出口側のリーダがＩＤデータを読取る時間経過に基づいてペットの出入の別を検出し、ペットの名前と出入の別を対応表示するとともにその経過を記憶するようにしたペット出入口管理システム。【選択図】  図１
2006325478.tif 000002
【特許請求の範囲】
【請求項１】
ペットの体につけるためのＩＣタグと、そのＩＣタグからＩＤデータを読取るリーダと、そのＩＤデータに基づいてペット用出入口の開口を可とするか否かを判定する判定手段と、前記判定が可のときには前記ペット用出入口の施錠状態を非施錠とする施錠手段とを具備することを特徴とするペット出入口管理システム。
【請求項２】
請求項１記載のペット出入口管理システムにおいて、前記リーダは前記ペット用出入口の入口側に設けられた入口側リーダと出口側に設けられた出口側リーダの２つから成り、前記入口側リーダと前記出口側リーダが前記ＩＤデータを読取る時間経過に基づいて前記ペットの出入の別を検出し出入データを出力する出入検出手段を具備することを特徴とするペット出入口管理システム。
【請求項３】
請求項２記載のペット出入口管理システムにおいて、前記出入データと前記ＩＤデータに基づいて前記ペットの名前と出入の別を対応表示する出入表示手段を具備することを特徴とするペット出入口管理システム。
【請求項４】
請求項１〜３のいずれかに記載のペット出入口管理システムにおいて、前記ＩＤデータと前記施錠状態と前記出入データの経過を記憶する経過記憶手段を具備することを特徴とするペット出入口管理システム。
【発明の詳細な説明】
【技術分野】
【０００１】
本発明はペット専用の出入口についての技術分野に属する。特に、ペットが屋内外へ出入するときに、人手によらず自動で出入口の開閉が可能であるとともに、ペットの出入の状況をデータ収集するペット出入口管理システムに関する。
【背景技術】
【０００２】
従来においては、ペットが首輪等において体につけた永久磁石の磁力により出入口を開閉するシステムが知られている（特許文献１、特許文献２）。
【特許文献１】実公平６−９４８
【特許文献２】特許第９６９４４１号
【０００３】
たとえば、特許文献１においては「飼育しているペットが出入する際には、首輪等を介してペット側に付けられた永久磁石が近づくことによってスイッチが閉じられ、電磁石装置に通電される。その際に電磁石装置が作動して、しんばり棒が重力に逆らって移動することによって、しんばり棒による出入扉の回動阻止が解除される。これによって、永久磁石を付けた飼育ペットのみが自由に出入することができる。一方、永久磁石を付けた飼育ペットが出入扉から離れ、電磁石装置に通電されなくなった場合には、しんばり棒は、自重により自然降下し、出入扉が開口部を閉じた状態のときに素早く好適に枠体と出入扉に両方に当接して出入扉の少なくとも一方への回動を確実に阻止する。このため、永久磁石を付けていない野良猫等が進入することを確実に阻止できる。」と記載されている。
【０００４】
しかしながら、これら従来のシステムにおいては、ペットが屋内にいるのかいないのか、複数のペットを飼っている場合においてどのペットがどこにいるのかを知ることができない。また、同様のシステムを使用している他の家庭のペットについても区別することなく出入口を開閉するという問題がある。
【発明の開示】
【発明が解決しようとする課題】
【０００５】
本発明は上記の問題を解決するために成されたものである。その目的は、特定のペットだけについて出入口を開閉することができ、飼っている複数のペットの各々が屋内外のいずれにいるのかという出入の現状と経過を知ることができるペット出入口管理システムを提供することにある。
【課題を解決するための手段】
【０００６】
本発明の請求項１に係るペット出入口管理システムは、ペットの体につけるためのＩＣタグと、そのＩＣタグからＩＤデータを読取るリーダと、そのＩＤデータに基づいてペット用出入口の開口を可とするか否かを判定する判定手段と、前記判定が可のときには前記ペット用出入口の施錠状態を非施錠とする施錠手段とを具備するようにしたものである。
また本発明の請求項２に係るペット出入口管理システムは、請求項１に係るペット出入口管理システムにおいて、前記リーダは前記ペット用出入口の入口側に設けられた入口側リーダと出口側に設けられた出口側リーダの２つから成り、前記入口側リーダと前記出口側リーダが前記ＩＤデータを読取る時間経過に基づいて前記ペットの出入の別を検出し出入データを出力する出入検出手段を具備するようにしたものである。
また本発明の請求項３に係るペット出入口管理システムは、請求項２に係るペット出入口管理システムにおいて、前記出入データと前記ＩＤデータに基づいて前記ペットの名前と出入の別を対応表示する出入表示手段を具備するようにしたものである。
また本発明の請求項４に係るペット出入口管理システムは、請求項１〜３のいずれかに係るペット出入口管理システムにおいて、前記ＩＤデータと前記施錠状態と前記出入データの経過を記憶する経過記憶手段を具備するようにしたものである。
【発明の効果】
【０００７】
本発明の請求項１に係るペット出入口管理システムによれば、リーダによりペットの体につけるためのＩＣタグからＩＤデータが読取られ、判定手段によりそのＩＤデータに基づいてペット用出入口の開口を可とするか否かが判定され、施錠手段により判定が可のときにはペット用出入口の施錠状態が非施錠とされる。すなわち、ペットが体につけたＩＣタグのＩＤデータがリーダにより読取られることにより、ペット用出入口にペットがいることとそのペットの名前とを特定することができる。したがって、特定のペットだけについて出入口を開閉することができる。
また本発明の請求項２に係るペット出入口管理システムによれば、リーダはペット用出入口の入口側に設けられた入口側リーダと出口側に設けられた出口側リーダの２つから成っており、出入検出手段により入口側リーダと出口側リーダがＩＤデータを読取る時間経過に基づいてペットの出入の別が検出され出入データが出力される。したがって、飼っている複数のペットの各々が屋内外のいずれにいるのかという出入の状況を検出することができる。
また本発明の請求項３に係るペット出入口管理システムによれば、出入表示手段により出入データとＩＤデータに基づいてペットの名前と出入の別が対応表示される。したがって、複数のペットについて出入の状況を表示から知ることができる。
また本発明の請求項４に係るペット出入口管理システムによれば、経過記憶手段によりＩＤデータと施錠状態と出入データの経過が記憶される。したがって、複数のペットについて出入の経過を記憶することができる。
【発明を実施するための最良の形態】
【０００８】
次に、本発明の実施の形態について図を参照しながら説明する。本発明のペット出入口管理システムにおける構成の一例をブロック図として図１に示す。図１において、１０はペット出入口、１１は扉、１２は回転軸、１３は上部、１４は下部、２０は開閉器、３０は出口側リーダ、４０は入口側リーダ、５０はデータ処理部、６０は表示部、７０は操作部である。
ペット出入口１０は出入を制限したい箇所たとえば屋内と屋外との境界に設置され、屋内から屋外へまたは屋外から屋内へとペットが通行するための出入口である。図１に示す一例においては、ペット出入口１０は側面図として示されている。その側面図において２つの側面と上部１３と下部１４は塞がれており、左右面だけが開口している。すなわち、その２つの側面と上部１３と下部１４によって仕切られたトンネル形状の部分がペットの通路となっている。上部１３はトンネル形状のペット出入口１０における天井を構成する部分である。下部１４はトンネル形状のペット出入口１０における床を構成する部分である。したがって、ペットはその側面図における左右方向にだけ通行することが可能となっている。
【０００９】
扉１１はそのペットの通路を遮断するように、ペット出入口１０における中央部分に設けられている。扉１１は回転軸１２を介して上部１３によって支持され、その回転軸１２を中心として回転可能となっている。回転軸１２は扉１１と上部１３とを回転可能に結合する結合手段（たとえば蝶番）である。扉１１の重心は回転軸１２よりも下側となっており、強制力が作用しない状態においては、重力の作用により自然に垂直姿勢となるように回転しその垂直姿勢で安定する（図１のＡ）。開閉器２０による扉１１の固定すなわち施錠はその垂直姿勢のときに行われる。施錠状態のときには扉１１は垂直姿勢であるから、その下端部分は下部１４に最接近している。扉１１の下端部分と下部１４とは若干の隙間を有しており、扉１１の回転が下部１４によって妨げられることはない。施錠状態のときには開閉器２０によって扉１１が回転しないように固定される。したがって、ペットが力を加えても扉１１が回転することはなく、ペットがペット出入口１０を通行することができない。
【００１０】
非施錠状態のときには開閉器２０による扉１１の固定が解除される。したがって、ペットが力を加えることによって、扉１１はその垂直姿勢から回転を行うことが可能である。このとき扉１１は傾斜姿勢となり、扉１１の下端部分が下部１４から離れ上部１３に近ずく。その結果、扉１１の下端部分と下部１４との間が開口しペットの通路が確保されペットはペット出入口１０を通行することができる。ペットがペット出入口１０を通行し屋内から屋外へ出るときには扉１１の下端部分が屋外側の上方に進むように扉１１が傾斜する（図１のＣ）。また、ペットがペット出入口１０を通行し屋外から屋内に入るときには扉１１の下端部分が屋内側の上方に進むように扉１１が傾斜する（図１のＢ）。
【００１１】
開閉器２０は扉１１を垂直姿勢に固定するための施錠手段である。図１に示す一例においては、開閉器２０は回転軸１２からさらに延長されている扉１１の上端部分を固定することにより扉１１の回転を止める構造となっている。開閉器２０は心棒を有し、その心棒が開側と閉側のいずれかに移動停止する構造となっている（図１の矢印）。開閉器２０における心棒と扉１１の上端部分とは嵌め合わせする形状部分を有する。心棒が閉側に移動しその形状部分において嵌め合わせしたときに施錠状態となる。心棒が開側に移動しその形状部分における嵌め合わせが外れたときに非施錠状態となる。開閉器２０はデータ処理部５０から出力される指令に基づいて動作し、その動作により扉１１を施錠状態または非施錠状態とする。
【００１２】
出口側リーダ３０はペット出入口１０の出口側に設けられたＩＣタグのリーダである。ＩＣタグを体につけているペットがペット出入口１０の出口側に来たときに、出口側リーダ３０はそのＩＣタグからＩＤデータを読取る。出口側リーダ３０がＩＤデータを読取る範囲としては、たとえば、施錠状態の扉１１の位置を含み、その扉１１から屋内に至るペット出入口１０の領域である。出口側リーダ３０は読取ったＩＤデータをデータ処理部５０に出力する。出口側リーダ３０は読取動作を所定の間隔で繰返し行い続ける。
【００１３】
入口側リーダ４０はペット出入口１０の入口側に設けられたＩＣタグのリーダである。ＩＣタグを体につけているペットがペット出入口１０の入口側に来たときに、入口側リーダ４０はそのＩＣタグからＩＤデータを読取る。入口側リーダ４０がＩＤデータを読取る範囲としては、たとえば、施錠状態の扉１１の位置を含み、その扉１１から屋外に至るペット出入口１０の領域である。入口側リーダ４０は読取ったＩＤデータをデータ処理部５０に出力する。入口側リーダ４０は読取動作を所定の間隔で繰返し行い続ける。
【００１４】
データ処理部５０は本発明のペット出入口管理システムにおけるデータ処理を行う部分である。データ処理部５０はマイクロコンピュータ等のデータ処理装置におけるハードウェアとソフトウェアによって構成される。データ処理部５０はペット出口側リーダ３０と入口側リーダ４０が出力するＩＤデータを入力する。データ処理部５０の判定手段（図示せず）はそのＩＤデータがペット出入口１０の通行を許可されているペットのＩＤデータであるか否かを判定する。そして通行を許可されているペットのＩＤデータであるときには、データ処理部５０はペット出入口１０の施錠手段（図示せず）は施錠状態を非施錠とする操作信号を開閉器２０に出力する。それ以外のときには、データ処理部５０は開閉器２０には操作信号を出力せずそれまでの状態、すなわち通常は施錠状態を保持する。
【００１５】
またデータ処理部５０の出入検出手段（図示せず）はペット出口側リーダ３０と入口側リーダ４０がＩＤデータを読取る時間経過に基づいてペットの出入の別を検出し出入データを生成する。データ処理部５０はＩＤデータの時系列処理において、特定のＩＤデータがペット出口側リーダ３０によって読取られた後に引き続き入口側リーダ４０によって読取られ、かつペット出口側リーダ３０によって読取られなくなった後に引き続き入口側リーダ４０によって読取られなくなったときには、そのＩＤデータのＩＣタグを体につけたペットが屋内から屋外に出たと判定する。逆に、特定のＩＤデータがペット入口側リーダ４０によって読取られた後に引き続き出口側リーダ３０によって読取られ、かつペット入口側リーダ４０によって読取られなくなった後に引き続き出口側リーダ３０によって読取られなくなったときには、そのＩＤデータのＩＣタグを体につけたペットが屋外から屋内に入ったと判定する。
【００１６】
またデータ処理部５０は表示部６０に表示するデータを生成する処理を行う。たとえば、データ処理部５０の出入表示手段（図示せず）は前述した出入データとＩＤデータからペットの名前と出入の別を表示部６０に対応表示するためのデータを生成する処理を行う。表示部６０として文字だけでなく画像を表示するものを使用し、表示画面における屋内領域または屋外領域にペットの写真を表示することにより出入の別を表示するようにしてもよい。
またデータ処理部５０の経過記憶手段（図示せず）はペット出入口管理システムの動作に関するログファイルを生成し記憶する処理を行う。すくなくともＩＤデータと施錠状態と出入データの経過を記憶手段に記憶する処理を行う。またデータ処理部５０は記憶手段に記憶した経過のデータを表示部６０に表示する、編集する、外部メモリ出力する、プリントアウトする、等の処理も行う。
【００１７】
またデータ処理部５０はペット出入口管理システムの利用者が操作部７０から行う操作入力に関する処理を行う。たとえば、電源のオンオフ操作、マニュアル開錠操作、等の一般的な操作の処理を行う。また、ペット出入口管理システムの動作環境設定として、ＩＤデータとペットの名前を登録する。登録されたＩＤデータに対して非施錠状態とする処理が行われる。またＩＤデータに基づいてペット出入口を管理する時間帯の設定、無条件開放または無条件閉鎖の時間帯の設定を行う。また表示部６０にデータを表示するときの表示形態の設定、非施錠状態等において動作音を発生させるか否かの設定、等を行う。
【００１８】
以上の構成において、次に本発明のペット出入口管理システムにおける動作について説明する。本発明のペット出入口管理システムにおける動作の一例をフロー図として図２に示す。
ステップＳ１１〜Ｓ１５は出口処理の動作ステップである。
まず、ステップＳ１１（ＩＣタグの読取実行）において、出口側リーダ３０はＩＣタグからＩＤデータを読取る動作を実行する。
次に、ステップＳ１２（ＩＤデータ取得？）において、データ処理部５０はＩＤデータを取得したか否かを判定する。ＩＣタグを体につけているペットがペット出入口１０の出口側に来たときにだけＩＤデータを取得することができる。取得できたときにはステップＳ１３に進む。取得できないときにはステップＳ１１に戻って上述の以降のステップを繰返す。
【００１９】
次に、ステップＳ１３（登録ＩＤデータと比較）において、データ処理部５０は取得したＩＤデータとペット出入口１０を開口する（非施錠状態とする）ＩＤデータとして登録されているＩＤデータとを比較する。
次に、ステップＳ１４（開口可？）において、データ処理部５０は取得したＩＤデータが登録ＩＤデータのときには開口可としステップＳ１５に進む。一方、取得したＩＤデータが登録ＩＤデータでないときには開口不可としステップＳ３１に進む。
次に、ステップＳ１５（非施錠）において、データ処理部５０は開閉器２０に対して施錠状態を非施錠とするよう操作信号を出力する。開閉器２０はその操作信号を入力して心棒と扉１１の嵌め合わせを外してペット出入口１０を非施錠状態とする。
【００２０】
ステップＳ２１〜Ｓ２５は入口処理の動作ステップである。
まず、ステップＳ２１（ＩＣタグの読取実行）において、入口側リーダ４０はＩＣタグからＩＤデータを読取る動作を実行する。
次に、ステップＳ２２（ＩＤデータ取得？）において、データ処理部５０はＩＤデータを取得したか否かを判定する。ＩＣタグを体につけているペットがペット出入口１０の出口側に来たときにだけＩＤデータを取得することができる。取得できたときにはステップＳ２３に進む。取得できないときにはステップＳ１１に戻って上述の以降のステップを繰返す。
【００２１】
次に、ステップＳ２３（登録ＩＤデータと比較）において、データ処理部５０は取得したＩＤデータとペット出入口１０を開口する（非施錠状態とする）ＩＤデータとして登録されているＩＤデータとを比較する。
次に、ステップＳ２４（開口可？）において、データ処理部５０は取得したＩＤデータが登録ＩＤデータのときには開口可としステップＳ２５に進む。一方、取得したＩＤデータが登録ＩＤデータでないときには開口不可としステップＳ３１に進む。
次に、ステップＳ２５（非施錠）において、データ処理部５０は開閉器２０に対して施錠状態を非施錠とするよう操作信号を出力する。開閉器２０はその操作信号を入力して心棒と扉１１の嵌め合わせを外してペット出入口１０を非施錠状態とする。
【００２２】
ステップＳ３１〜Ｓ３４は共通処理の動作ステップである。
まず、ステップＳ３１（出入検出）において、データ処理部５０の出入検出手段はペット出口側リーダ３０と入口側リーダ４０がＩＤデータを読取る時間経過に基づいてペットの出入の別を検出し出入データを生成する。
次に、ステップＳ３２（経過記憶）において、データ処理部５０の経過記憶手段はすくなくともＩＤデータと施錠状態と出入データの経過を記憶手段に記憶する処理を行う。
【００２３】
次に、ステップＳ３３（状況表示更新）において、データ処理部５０の出入表示手段は前述した出入データとＩＤデータからペットの名前と出入の別を表示部６０に対応表示するためのデータを生成する処理を行う。表示部６０はそのデータを表示する。
次に、ステップＳ３４（終了？）において、データ処理部５０はペット出入口管理システムを終了するか否かについて判定する。操作部７０からの終了入力、その他の割込み終了入力があれば終了とする。終了しないときには、ステップＳ１１またはステップＳ２１に戻って、上述の以降のステップを繰返す。
【図面の簡単な説明】
【００２４】
【図１】本発明のペット出入口管理システムにおける構成の一例を示すブロック図である。
【図２】本発明のペット出入口管理システムにおける動作の一例を示すフロー図である。
【符号の説明】
【００２５】
１０  ペット出入口
１１  扉
１２  回転軸
１３  上部
１４  下部
２０  開閉器
３０  出口側リーダ
４０  入口側リーダ
５０  データ処理部
６０  表示部
７０  操作部
【図１】
2006325478.tif 000003
【図２】
2006325478.tif 000004